(57)【要約】【課題】薬剤効果の持続性、拡散性、速効性を任意なものにできる薬剤揮散器具とする。【解決手段】薬剤容器体１の第１薬剤収容部２に第１の薬剤４を収容し、第２薬剤収容部３に第２の薬剤５を収容し、この第１の薬剤４が自然揮散して揮散口６から大気に放出されるようにすると共に、送風機７を駆動した時の空気流れが第２の薬剤５に作用して強制揮散して大気に放出されるようにし、この送風機７の空気流れが第１薬剤収容部２には作用せずに第２の薬剤５を強制揮散した時に第１の薬剤４が自然揮散のみとした薬剤揮散器具で、第１・第２の薬剤４，５の薬剤使用量を変えたり、揮散性を異なるものとしたり、同じものとしたり、強制揮散を間欠的に行うことで薬剤効果の持続性、拡散性、速効性を任意なものにできる。【選択図】図２
2008023074.tif 000002
【特許請求の範囲】
【請求項１】
第１の薬剤４と第２の薬剤５を同時に揮散する際に、その第１の薬剤４は自然揮散のみとし、第２の薬剤５には送風機７の空気流れを作用して強制揮散させることを特徴とする薬剤揮散方法。
【請求項２】
自然揮散用の第１薬剤収容部２と強制揮散用の第２薬剤収容部３を有する薬剤容器体１と、
前記第１薬剤収容部２に収容した第１の薬剤４と、
前記第２薬剤収容部３に収容した第２の薬剤５と、
前記第２の薬剤５に、空気流れを作用して強制揮散させる送風機７を備え、
前記薬剤容器体１は、第１薬剤収容部２に開口して自然揮散した第１の薬剤４を大気に放出する揮散口６を有することを特徴とする薬剤揮散器具。
【請求項３】
揮散口６からの自然揮散による空気流れ経路と、強制揮散による空気流れ経路が離間している請求項２記載の薬剤揮散器具。
【請求項４】
薬剤容器体１に、空気取入口２４と開口部２５を第２薬剤収容部３に開口連通して形成し、
送風機７の吸込口３３を開口部２５と連通し、その送風機７を駆動することで、前記空気取入口２４から空気が第２薬剤収容部３に流入し、その空気は第２の薬剤５に作用しながら吸込口３３から吸い込みされて送風機７の吐出口３４から大気に放出されるようにした請求項２又は３記載の薬剤揮散器具。
【請求項５】
薬剤容器体１の上面に、空気取入口２４と開口部２５を形成し、送風機７の吸い込み空気が第２の薬剤５の上面５ａに作用するようにし、
前記送風機７の吐出口３４と前記空気取入口２４の位置がずれている請求項４記載の薬剤揮散器具。
【請求項６】
薬剤容器体１の下面に空気取入口２４を形成し、上面に開口部２５を形成し、送風機７の吸い込み空気が第２の薬剤５の下面から上面まで流通するようにした請求項４記載の薬剤揮散器具。
【請求項７】
薬剤容器体１に空気吹き込み口４０と補助揮散口４１を第２薬剤収容部３に開口連通して形成し、
送風機７の吸込口３３を大気に開口すると共に、吐出口３４を前記空気吹き込み口４０に開口連通することで、その送風機７を駆動することで吐出空気が第２薬剤収容部３に吹き込まれ、補助揮散口４１から大気に放出されるようにした請求項２又は３記載の薬剤揮散器具。
【発明の詳細な説明】
【技術分野】
【０００１】
本発明は、芳香剤、消臭剤、芳香消臭剤、除菌剤、殺虫剤、害虫忌避剤などの揮散性の薬剤を揮散させる方法、及び薬剤を自然に揮散させると同時に強制揮散させる薬剤揮散器具に関するものである。
【背景技術】
【０００２】
特許文献１に開示された薬剤揮散器具が知られている。
この薬剤揮散器具は、送風容器体と、この送風容器体内に設けた送風機と、揮散性の薬剤を含有した製剤を収容した薬剤容器体と、前記送風容器体に取付けたカバー体を備えている。
そして、送風機を停止した時には薬剤容器体の上面開口部から自然揮散した薬剤がカバー体の通気部から大気に放出されて自然揮散方式となる。
また、送風機を駆動することで薬剤容器体の上面開口部から製剤の上面に空気が吹きつけられ、強制揮散状態となり、その薬剤を送風機の駆動によって大気に放出して強制揮散方式となる。
要するに、特許文献１に開示された薬剤揮散方法は、自然揮散と強制揮散の一方を選択して実施する薬剤揮散方法である。
【０００３】
【特許文献１】特開２００３−１６９８４３
【発明の開示】
【発明が解決しようとする課題】
【０００４】
前述した従来の薬剤揮散方法は、１つの薬剤を用い、その薬剤を自然揮散又は強制揮散するものであるから、自然揮散すれば、薬剤効果の持続性が優れたものになると共に、薬剤の使用量を変えたりすることで持続性を調節できる。
【０００５】
また、強制揮散すれば、薬剤効果の拡散性、速効性が優れたものになると共に、送風機の送風能力を変えたりすることで拡散性、速効性を調節できる。
【０００６】
このように、従来の薬剤揮散方法によれば持続性又は拡散性、速効性を任意なものにできる。
しかし、持続性、拡散性、速効性の３つを任意なものとすることはできない。
【０００７】
この理由としては、１つの薬剤を自然揮散又は強制揮散するためと考えられる。
【０００８】
本発明者等は、前述のことに基づき鋭意研究、実験した結果、薬剤容器体に収容した薬剤の一部分を強制揮散した時に、残りの部分は強制揮散されることがなく自然揮散のみとすることで、薬剤効果の持続性、拡散性、速効性を任意なものにできることを見出し、本発明に到った。
【０００９】
本発明の目的は、薬剤効果の持続性、拡散性、速効性を任意なものにできる薬剤揮散方法及び薬剤容器体に自然揮散用の第１薬剤収容部と強制揮散用の第２薬剤収容部を形成し、その第２薬剤収容部に収容した薬剤を強制揮散した時に、第１薬剤収容部に収容した薬剤は自然揮散のみとした薬剤揮散器具を提供することである。
【課題を解決するための手段】
【００１０】
第１の発明は、第１の薬剤４と第２の薬剤５を同時に揮散する際に、その第１の薬剤４は自然揮散のみとし、第２の薬剤５には送風機７の空気流れを作用して強制揮散させることを特徴とする薬剤揮散方法である。
【００１１】
第２の発明は、自然揮散用の第１薬剤収容部２と強制揮散用の第２薬剤収容部３を有する薬剤容器体１と、
前記第１薬剤収容部２に収容した第１の薬剤４と、
前記第２薬剤収容部３に収容した第２の薬剤５と、
前記第２の薬剤５に、空気流れを作用して強制揮散させる送風機７を備え、
前記薬剤容器体１は、第１薬剤収容部２に開口して自然揮散した第１の薬剤４を大気に放出する揮散口６を有することを特徴とする薬剤揮散器具である。
【００１２】
第３の発明は、第２の発明において、揮散口６からの自然揮散による空気流れ経路と、強制揮散による空気流れ経路が離間している薬剤揮散器具である。
【００１３】
第４の発明は、第２又は第３の発明において、薬剤容器体１に、空気取入口２４と開口部２５を第２薬剤収容部３に開口連通して形成し、
送風機７の吸込口３３を開口部２５と連通し、その送風機７を駆動することで、前記空気取入口２４から空気が第２薬剤収容部３に流入し、その空気は第２の薬剤５に作用しながら吸込口３３から吸い込みされて送風機７の吐出口３４から大気に放出されるようにした薬剤揮散器具である。
【００１４】
第５の発明は、第４の発明において、薬剤容器体１の上面に、空気取入口２４と開口部２５を形成し、送風機７の吸い込み空気が第２の薬剤５の上面５ａに作用するようにし、
前記送風機７の吐出口３４と前記空気取入口２４の位置がずれている薬剤揮散器具である。
【００１５】
第６の発明は、第４の発明において、薬剤容器体１の下面に空気取入口２４を形成し、上面に開口部２５を形成し、送風機７の吸い込み空気が第２の薬剤５の下面から上面まで流通するようにした薬剤揮散器具である。
【００１６】
第７の発明は、第２又は第３の発明において、薬剤容器体１に空気吹き込み口４０と補助揮散口４１を第２薬剤収容部３に開口連通して形成し、
送風機７の吸込口３３を大気に開口すると共に、吐出口３４を前記空気吹き込み口４０に開口連通することで、その送風機７を駆動することで吐出空気が第２薬剤収容部３に吹き込まれ、補助揮散口４１から大気に放出されるようにした薬剤揮散器具である。
【発明の効果】
【００１７】
請求項１に係る発明によれば、第１の薬剤４が自然揮散のみで、第２の薬剤５を強制揮散するから、薬剤効果の持続性、拡散性、速効性を任意なものにできる。
【００１８】
請求項２に係る発明によれば、送風機７を駆動することで第２薬剤収容部２に収容した第２の薬剤５を強制揮散して大気に放出できるし、この時に送風機７の空気流れが第１薬剤収容部２には作用しないので、その第１薬剤収容部２内に収容した第１の薬剤４は強制揮散されることがなく自然揮散のみであるので、薬剤効果の持続性、拡散性、速効性を任意なものにできる。
【００１９】
請求項３に係る発明によれば、自然揮散による空気流れと強制揮散による空気流れが混合することがなく、自然揮散と強制揮散をスムーズに行うことができる。
【００２０】
請求項４に係る発明によれば、送風機７の吸い込み空気を利用して第２の薬剤５を強制揮散できる。
【００２１】
請求項５に係る発明によれば、空気取入口２４から第２薬剤収容部３内に流入する空気と送風機７の吐出空気が混合することがなく、スムーズに強制揮散することができる。
【００２２】
請求項６に係る発明によれば、第２の薬剤５の下面から上面に空気が流通することで強制揮散するので、第２の薬剤を効率良く揮散することができる。
【００２３】
請求項７に係る発明によれば、送風機７の吐出空気を利用して第２の薬剤を強制揮散できる。
【発明を実施するための最良の形態】
【００２４】
本発明の第１の実施の形態を図１、図２を参照して説明する。
薬剤容器体１は、自然揮散用の第１薬剤収容部２と強制揮散用の第２薬剤収容部３を有し、この第１薬剤収容部２と第２薬剤収容部３は独立している。
前記第１薬剤収容部２に第１の薬剤４を収容し、第２薬剤収容部３に第２の薬剤５を収容する。
前記薬剤容器体１には第１薬剤収容部２を大気に開口する揮散口６が形成してある。前記第１の薬剤４は自然揮散して揮散口６から大気に放出される。
前記薬剤容器体１には送風機７が設けてある。この送風機７を駆動した時の吸い込み空気又は吐出空気、つまり送風機７を駆動した時の空気流れによって前記第２の薬剤５を強制揮散して大気に放出している。
【００２５】
このようであるから、前述した薬剤揮散器具を用い、その送風機７を駆動して薬剤を揮散することで、第１の薬剤４には送風機７の空気流れが作用することがなく、その送風機７の空気流れは第２の薬剤５にのみ作用するから、第２の薬剤５は強制揮散されるが、第１の薬剤４は自然揮散のみである。
【００２６】
したがって、第１の薬剤４、第２の薬剤５の薬剤使用量を変えたり、第１の薬剤４と第２の薬剤５の揮散性（揮散し易さ）が異なるものとしたり、同じものとしたり、強制揮散を間欠的に行ったりすることで、薬剤効果の持続性（薬剤の効力が長時間持続する）、拡散性（薬剤分布のスピード化、薬剤分布状態の安定化）、速効性（効力の発現が速い）を任意なものとすることができる。
【００２７】
自然揮散、強制揮散の同時揮散を継続する場合、例えば、第１の薬剤４の揮散性を非常に良いもの（常温で揮散するもの）とし、第２の薬剤５の揮散性を良いもの（常温で揮散するがその揮散速度が遅い、又は／及び揮散量が少ない）とすることで第２の薬剤５が充分な拡散性を得、また優れた速効性を得る。また、第１の薬剤４が常時揮散して優れた持続性を得る。さらに、自然揮散と強制揮散の有効期間を同一にし易い。
【００２８】
強制揮散を間欠的に行いながら継続する場合、例えば第１の薬剤４の揮散性を良いものとし、第２の薬剤５の揮散性を非常に良いものとし、強制揮散を使用開始（立ち上がり）など要点に行うことで、薬剤効果の優れた拡散性、速効性を得、また第１の薬剤４を常時徐放しつつ持続性を維持する。
【００２９】
強制揮散を定期的に行う場合、例えば第１・第２の薬剤４，５の揮散性を良いものとし、薬剤効果の持続性、拡散性、速効性を長期に亘って持続できる。
薬剤効果の一部を優先する場合、例えば第１・第２の薬剤４，５の揮散性を非常に良いものとすれば、特に薬剤効果の拡散性、速効性を優れたものとし、持続性を短期間とする。
なお、前述したこれらの薬剤効果は、最終的には使用目的、使用する薬剤の種類、使用薬剤の収容量、また使用する場所などによって調節されることは勿論である。
【００３０】
前述のように、本発明の薬剤揮散方法は、第１の薬剤４と第２の薬剤５を同時に揮散する際に、第１の薬剤４は自然揮散のみとし、第２の薬剤５には送風機７の空気流れを作用して強制揮散させる方法である。
このようにして第１の薬剤４と第２の薬剤５を揮散することで、薬剤効果の持続性、拡散性、速効性を任意なものにできる。
例えば、第１の薬剤４、第２の薬剤５の薬剤使用量を変えたり、第１の薬剤４と第２の薬剤５の揮散性を異なるものとしたり、同じものとしたり、第２の薬剤５の強制揮散を間欠的に行い継続することで、薬剤効果の持続性、拡散性、速効性を任意なものにできる。
【００３１】
次に前述した薬剤揮散器具の各部材の具体形状を説明する。
前記薬剤容器体１は容器本体１０と蓋体２０を備えている。
前記容器本体１０は、底面板１１と周面板１２と筒状の仕切り壁１３とで上面が開口した第１凹部１４と第２凹部１５を有する形状である。
前記蓋体２０は、横板２１と、容器本体１０の周面板１２に嵌め合うフランジ２２と、仕切り壁１３が嵌合する溝２３を有し、その横板２１に揮散口６が形成してある。
前記周面板１２とフランジ２２を嵌め合うと共に、仕切り壁１３と溝２３を嵌合して容器本体１０に蓋体２０を着脱自在に取付けることで、前記第１凹部１４と蓋体２０で前述の第１薬剤収容部２を形成し、前記第２凹部１５と蓋体２０で前述の第２薬剤収容部３を形成している。前記第１・第２の薬剤４，５の上面４ａ，５ａと蓋体２０とは離隔し、両者の間には空間部２ａ，３ａが形成されている。
【００３２】
前記蓋体２０の横板２１には前記第２薬剤収容部３（第２凹部１５）に開口連通した空気取入口２４と開口部２５が形成してあると共に、その開口部２５の周囲に送風機取付部２６が形成してある。
【００３３】
前記送風機７は、ハウジング３０にモータ３１とファン３２を設け、そのハウジング３０に吸込口３３と吐出口３４を形成したもので、ハウジング３０の電池収納室３５に収納した電池３６によってモータ３１を駆動してファン３２を回転することで吸込口３３から空気を吸い込み、吐出口３４から吐出する。
前記ハウジング３０を送風機取付部２６に嵌め合わせるようにして送風機７を蓋体２０に取付ける。
これによって、前記開口部２５と吸込口３３が連通する。
【００３４】
前述のようであるから、送風機７を駆動（ファン３２を回転）することで、矢印ａで示すように空気取入口２４から空気が第２薬剤収容室３内に流入し、その空気は第２の薬剤５の上面５ａ付近の空気とともに矢印ｂで示すように開口部２５、吸込口３３と流れ、矢印ｃで示すように吐出口３４から大気に吐出する。
したがって、送風機７の吸い込み空気が第２の薬剤５の上面５ａに直接作用して強制揮散する。
【００３５】
前述のように送風機７を駆動して第２の薬剤５を強制揮散している時に、送風機７の吸い込み空気は第１の薬剤４の上面４ａに作用することなく、第１の薬剤４は自然揮散のみで、矢印ｄに示すように揮散口６から大気に放出される。
【００３６】
この実施の形態においては、強制揮散による空気流れ経路は矢印ａ，ｂ，ｃで示すようであり、自然揮散による空気流れ経路は矢印ｄで示すようである。このように両方の空気流れ経路は離間しているので、強制揮散と自然揮散が同時にそれぞれスムーズに実施できる。
【００３７】
また、図１と図２に示すように、空気取入口２４と吐出口３４は、その空気取入口２４に流れる空気と吐出口３４から吐出する空気が干渉しないように位置がずれているので、スムーズに強制揮散することができる。なお、空気取入口２４と吐出口３４が前述のように位置がずれるようにするために、ハウジング３０と蓋体２０に目印を付して送風機７の取付け位置を常に一定にできるようにすることができる。
【００３８】
また、送風機７の吐出口３４から吐出される空気（強制揮散された薬剤）がスムーズに上方に向けて放出されるように、送風機７のハウジング３０における吐出口３４と連続して斜め上向きに湾曲した放出誘導路を一体的に設けても良い。
【００３９】
次に、前記送風機７の駆動について説明する。
前記送風機７は駆動と停止を交互に繰り返しする、いわゆる間欠駆動される。
前記駆動時間と停止時間は、使用目的、使用する薬剤の種類、使用薬剤の収容量、また使用する場所などに応じて、全ての薬剤効果が得られるように、又は一部の薬剤効果を顕著に得られるようその薬剤の分布濃度を保つように設定する。
また、前記送風機７は連続駆動しても良いし、連続駆動と間欠駆動を切り換えできるようにしても良い。
【００４０】
例えば、図３に示すように電池３６とモータ３１とを主スイッチ３７と駆動回路３８で電気的に接続する。この駆動回路３８は間欠的に通電する間欠駆動回路３８ａと連続して通電する連続駆動回路３８ｂを有し、切換手段３９からの切換信号でどちらか一方を選択するようにしてある。
【００４１】
前述の実施の形態では、第１薬剤収容部２と第２薬剤収容部３を１つずつとしてあるが複数としても良い。
【００４２】
図１と図２に示す第１薬剤収容部２は、第２薬剤収容部３を中心とするリング形状で、送風機７は薬剤容器体１のほぼ中央に載置して取付け、蓋体２０よりも送風機７が上方に突出している。
これに限ることはなく、薬剤容器体１の左右一側寄り部分を第１薬剤収納部２、左右他側寄り部分を第２薬剤収容部３としても良い。
例えば、容器本体１０と蓋体２０を左右方向の長円形状として薬剤容器体１を左右方向の長円形状とし、その容器本体１０は、その左右中央部に仕切り壁１３を備え、第１凹部１４と第２凹部１５を左右にそれぞれ有する形状として薬剤容器体１を、その左右に第１薬剤収容部２と第２薬剤収容部３を有するものとする。
そして、第２薬剤収容部２の上方部分に空気取入口２４、開口部２５、送風機取付部２６を形成する。
【００４３】
また、第１・第２薬剤収容部２，３の形状は次のようにすることもできる。
前記第１薬剤収容部２を、ほぼ円形の外面とＵ字状の内面で囲まれた略Ｃ字形状とし、第２薬剤収容部３をＵ字状と円形の一部で囲まれた形状とする。
例えば、図１、図２に示す仕切り壁１３をＵ字形状とし、その仕切り壁１３の両端開口部を周面板１２に接して仕切り壁１３と周面板１２の一部で囲まれた部分を第２薬剤収容部３とし、残りの部分を第１薬剤収容部２とする。
また、送風機７を薬剤容器体１と一体としても良い。例えば、送風機７のハウジング３０を蓋体２０と一体とする。
また、送風機７よりも蓋体２０が上方に突出するようにしても良い。例えば蓋体２０に凹陥部を形成し、その凹陥部内に送風機７を取付ける。
また、蓋体２０の揮散口６と送風機７の吐出口３４を位置をずらし、自然揮散した薬剤に向けて強制揮散した薬剤が放出しないようにしても良い。
【００４４】
前述した第１の実施の形態と異なる構成のいくつかを組み合わせた第２の実施の形態を図４、図５に基づいて説明する。
前記薬剤容器体１は、その上面と周面の一部に開口した凹陥部２８を有し、この凹陥部２８と対向した部分が第２薬剤収容部３で、残りの部分が第１薬剤収容部２である。
そして、凹陥部２８の底面に送風機７が設けてあると共に、上面における凹陥部２８以外の部分に揮散口６が形成してある。
【００４５】
具体的には、容器本体１０は底面板１１と周面板１２と仕切り壁１３を備えている。その仕切り壁１３はＵ字形状で、かつ開口端部１３ａが周面板１２の内面と一体的に連結され、半円形状部１３ｂが周面板１２のほぼ中央に位置し、この仕切り壁１３の外面と周面板１２の内面とで円形の一部を切欠きしたほぼＵ字形状の第１凹部１４を形成していると共に、仕切り壁１３の内面と周面板１２の残りの部分とで前述の切欠きした部分に相当する第２凹部１５としてある。
これによって、第１薬剤収容部２はほぼＵ字状で、第２薬剤収容部３は円形の一部分である。
【００４６】
前述の蓋体２０は横板２１と周面板２７とフランジ２２を有し、その横板２１における前述の仕切り壁１３と対向した部分に凹陥部２８が形成してある。
この凹陥部２８は底面２８ａと半円形縦面２８ｂと一対の対向縦面２８ｃを有し、その半円形縦面２８ｂと対向した部分が外周面に開口した開口部２８ｄとしてある。この凹陥部２８の底面２８ａに空気取入口２４、送風機取付部２６、開口部２５がそれぞれ形成してある。
前記横板２１の凹陥部２８以外の部分と前記周面板２７の凹陥部２８以外の部分に揮散口６が形成してある。このようであるから、揮散口６の開口面積の合計が大きく、スムーズに自然揮散できる。
【００４７】
前記送風機７のハウジング３０は、凹陥部２８の底面２８ａに形成した送風機取付部２６に嵌め込んで取付けてある。
そして、ハウジング３０の吐出口３４が凹陥部２８の半円形縦面２８ｂと反対方向（つまり、凹陥部２８の開口方向）に向けて設けてあり、このハウジング３０と前記凹陥部２８の半円形縦面２８ｂとの間に前述の空気取入口２４が形成してある。
【００４８】
前述のように、送風機７が凹陥部２８内に取付けられ、その送風機７が薬剤容器体１の上面（蓋体２０の横板２１）及び周面（蓋体２０の周面板２７）から突出しないので、この薬剤放散器を包装する際に送風機７が邪魔にならず、包装し易い。
【００４９】
また、空気取入口２４は凹陥部２８の底面２８ａに形成してあり、空気が凹陥部２８内から矢印ａのように第２薬剤収容部３に流れ込む。この空気は矢印ｂのように開口部２５、吸込口３３から吸い込みされ、吐出口３４から吐出されて凹陥部２８の開口部２８ｄから横向きに大気を放出されるので、強制揮散による空気流れ経路は、凹陥部２８に沿った流れとなる。
また、自然揮散による空気流れ経路は矢印ｄで示すように薬剤容器体１の上面及び周面から大気に向かう流れとなる。
したがって、強制揮散時の空気流れ経路と自然揮散時の空気流れ経路が明確に区分され、両方の空気が混合することがなく、強制揮散と自然揮散が同時にスムーズに実施できる。
【００５０】
前述の図４、図５に示す実施の形態では、凹陥部２８の一端部が薬剤容器体１の外周面（蓋体２０の周面板２７）に開口しているが、この凹陥部２８の両端部を図６に示すように薬剤容器体１の外周面（蓋体２０の周面板２７）にそれぞれ開口しても良い。
この場合には、容器本体１０の仕切り壁１３は、周面板１２の内面に連続した一対の縦板状で、第２薬剤収容部３は外周面方向に連続した形状となるし、第１薬剤収容部２は第２薬剤収容部３の両側にそれぞれ形成される。
また、この場合には送風機７のハウジング３０に一対の吐出口３４を形成し、凹陥部２８の両端開口部２８ｄから強制揮散した薬剤を大気に放出するようにする。
【００５１】
前述の凹陥部２８を図７に示すように十文字形状としても良い。
この場合には、容器本体１０の仕切り壁１３をほぼ三角形状で４つ有し、各仕切り壁１３の両端部１３ａを周面板１２の内面にそれぞれ一体的に連結して４つの第１凹部１４と１つの十文字状の第２凹部１５を有する形状とし、ほぼ三角形状の４つの第１薬剤収容部２を有すると共に、十文字形状の１つの第２薬剤収容部３を有する形状とする。
そして、送風機７のハウジング３０に４つの吐出口３４を形成し、十文字形状の凹陥部２８の各開口部２８ｄ近くに空気取入口２４をそれぞれ形成する。
【００５２】
前述した各実施の形態の凹陥部２８は、薬剤容器体１の外周面に開口し、その開口部から強制揮散した空気を大気に放出するようにしたが、その凹陥部２８は薬剤容器体１の上面（蓋体２０の横板２１）における中央寄りに形成した環状とし、その凹陥部２８が薬剤容器体１の外周面に開口しないようにしても良い。
【００５３】
この場合には、凹陥部２８を漏斗形状として凹陥部２８の内周面と送風機７のハウジング３０の外周面との間に隙間を形成し、その隙間を通して吐出口３４から吐出した空気を大気に放出する。
または、凹陥部２８の大きさを送風機７のハウジング３０よりも大きくして凹陥部２８の内周面と送風機７のハウジング３０の外周面との間に隙間を形成し、その隙間を通して吐出口３４から吐出した空気を大気に放出する。
または、凹陥部２８の内周面形状と送風機７のハウジング３０の外周面形状を異ならせて両者の間に隙間を形成し、その隙間を通して吐出口３４から吐出した空気を大気に放出する。例えば、凹陥部２８の内周面形状を円形、矩形とし、送風機７のハウジング３０の外周面形状を矩形、円形として両者の間に隙間を形成する。
【００５４】
また、前述のように凹陥部２８を環状とした場合には、その凹陥部２８の底面に空気取入口２４と開口部２５を形成することになるが、開口部２５を送風機７のハウジング３０の外周面寸法よりも大きくし、その開口部２５に複数の支持片を設け、この支持片の上にハウジング３０を載置して開口部２５とハウジング３０との間に隙間を形成し、その隙間を空気取入口２４とすることもできる。
【００５５】
また、薬剤容器体１の上面（蓋体２０の横板２１の開口部２５周縁部分）に、上方に拡開したお椀形状の送風機取付用の筒状体を設け、この筒状体で凹陥部２８としても良い。
このようにすれば、送風機７の吐出口３４から吐出した空気（強制揮散した薬剤）が筒状体の内側に沿ってスムーズに放散する。
【００５６】
前述したように凹陥部２８を環状とした場合の実施の形態を説明する。
図８と図９に示すように、蓋体２０を横板２１と周面板２７とフランジ２２を有し、その横板２１の中央部を漏斗状として環状の凹陥部２８とし、その底部を開放して開口部２５とする。
この開口部２５の周縁に沿ってＬ字状の支持片２９を周方向に間隔を置いて複数設け、この複数の支持片２９で送風機取付部２６とする。
送風機７のハウジング３０は開口部２５よりも小径で、複数の支持片２９に載置して取付けることで、そのハウジング３０の外周面と開口部２５との間に隙間が生じ、その隙間を空気取入口２４とする。
【００５７】
前述の各実施の形態では、空気取入口２４を薬剤容器体１の上面（蓋体２０）に形成したが、下面に形成し、第２薬剤収容部３に収容した第２の薬剤５を通して送風機７が空気を吸い込むようにしても良い。
例えば、図１０と図１１に示すように容器本体１０の底面板１１における第２凹部１５を形成する部分に空気取入口２４を形成し、送風機７を駆動することで空気取入口２４、第２の薬剤５、開口部２５を経て吸込口３３から空気を吸い込むようにする。
【００５８】
このようにすれば、第２の薬剤５の下面から上面までに空気が流れるので、その第２の薬剤５の全てを無駄なく揮散でき、効率良く強制揮散できる。
【００５９】
この実施の形態では容器本体１０は左右方向の長円形状で、仕切り壁１３が左右中間に設けられて第１凹部１４と第２凹部１５を左右両側に形成している。
蓋体２０の横板２１は、左右中間の縦面２１ａを境として左右一側方部分２１ｂが低く、左右他側方部分２１ｃが高く、その左右一側方部分２１ｂが第１凹部１４の上方を閉塞して第１薬剤収容部２を形成し、左右他側方部分２１ｃが第２凹部１５の上方を閉塞して第２薬剤収容部３を形成している。
【００６０】
前記蓋体２０の左右一側方部分２１ｂに揮散口６が形成され、第１の薬剤４から自然揮散した薬剤が揮散口６から放出する。
この揮散口６から放出した薬剤が左右他側方部分２１ｃに放散されることを前述の縦面２１ａが防止する。
前記左右他側方部分２１ｃに前述の凹陥部２８が形成してある。この凹陥部２８に送風機７が取付けてある。
【００６１】
また図示は省略するが、前述の送風機７は、左右他側部分２１ｃの凹陥部２８のほぼ中央（第２凹部１５のほぼ中央）に取付けているが先端部分（蓋体の外周寄り）に取付けても良く、第２の薬剤５が蓋体２０の外側に向けて放散される。この場合、凹陥部２８を設けず蓋体２０を高低差のない平面としても良い。
また、前述の図４、図５に示す薬剤揮散器具、図６に示す薬剤揮散器具においても同様に蓋体の外周寄りに送風機７を取付けるようにしても良い。
【００６２】
以上の実施の形態では、送風機７の吸い込み空気を第２の薬剤５に作用させるようにしたが、送風機７の吐出空気を第２の薬剤５に作用させるようにしても良い。
例えば、図１２、図１３に示すように薬剤容器体１に、空気吹き込み口４０と補助揮散口４１を第２薬剤収容室３に開口して形成する。好ましくは、空間部３ａに開口して形成し、空気吹き込み口４０から吹き込まれた空気が第２の薬剤５の上面５ａに吹きつけられると共に、その上面５ａからはね返った空気が補助揮散口４１から大気に放出されるようにする。
【００６３】
そして、送風機７の吐出口３４を空気吹き込み口４０に開口連通すると共に、吸込口３３を大気に開口し、送風機７を駆動することで吸込口３３から空気を吸い込み、吐出口３４から空気吹き込み口４０を通して空間部３ａ内に吹きつけられるようにする。
【００６４】
前記蓋体２０は前述の図１０、図１１に示す蓋体２０と同一形状で、その凹陥部２８の半円形縦面２８ｂに空気吹き込み口４０が形成され、この空気吹き込み口４０に送風機７のハウジング３０の一部分が嵌合されて吐出口３４が空気吹き込み口４０から空間部３ａに連通する。
前記凹陥部２８の底面２８ａに補助揮散口４１が形成してある。
【００６５】
また、図示は省略するが、図１、図２に示す薬剤揮散器具、図４、図５に示す薬剤揮散器具、図６、図７に示す薬剤揮散器具における送風機７を上下反転すると共に、吐出口３３を空間部３ａに開口連通し、空気取入口２４を補助揮散口として利用するようにして、送風機７の吐出空気を第２の薬剤５に吹きつけて強制揮散するようにしても良い。
【００６６】
前述の各実施の形態では、容器本体１０に第１凹部１４と第２凹部１５を形成して薬剤容器体１に第１・第２薬剤収容部２，３を形成したが、容器本体１０に第１凹部１４、蓋体２０に第２凹部１５を形成して薬剤容器体１に第１・第２薬剤収容部２，３を形成しても良い。
例えば、図１４と図１５に示すように、容器本体１０をドーナツ形状の底面板１１と周面板１２と内周板１６でリング形状の第１凹部１４と空洞部１７を有する形状とする。
蓋体２０の横板２１に、前記空洞部１７に嵌合し、上面が開口した筒状部４２を一体的に形成し、その筒状部４２内を第２凹部１５とする。
【００６７】
前記筒状部４２の上面開口を開口部２５とし、その開口部２５の外周寄りにリング状突起を設けて送風機取付部２６とする。
送風機７のハウジング３０を送風機取付部２６に嵌合して取付け、その吸込口３３と開口部２５を連通する。
前記筒状部４２の下面（つまり、薬剤容器体１の下面）に空気取入口２４が形成する。
【００６８】
また、図１６と図１７に示すように、蓋体２０の横板２１に凹陥部２８を形成し、この凹陥部２８の底面に第２凹部１５を形成して第２薬剤収容部３とし、第２の薬剤５を収容する。
前記凹陥部２８と第２凹部１５を矩形状とし、その凹陥部２８よりも第２凹部１５を小さくして段差部を形成し、その段差部を送風機取付部２６とする。
送風機７のハウジング３０を円形とし、そのハウジング３０の吸込口３０を形成した面を前記送風機取付部２６に接して送風機７を凹陥部２８に取付ける。
【００６９】
これによって、送風機７のハウジング３０の外周面と凹陥部２８、第２凹部１５の円周面との間に隙間５０がそれぞれ形成される。
そして、送風機７を駆動することで、この隙間５０を通して第２凹部１５に空気が流れ、第２薬剤５を通して吸込口３３に空気が吸い込みされる。
この吸込口３３から吸い込みされた空気は吐出口３４から前述の隙間５０を通して大気に放出される。
【００７０】
このようにすれば、容器本体１０を仕切り壁１３がない底面板１１と周面板１２のみから成る形状として第１凹部１４を大きくして第１薬剤収容部２を大きくできる。
なお、前述の凹陥部２８は前述した実施の形態のように、漏斗形状、直線形状、十文字形状などとしても良い。
【００７１】
以上の各実施の形態においては薬剤容器体１を円形、長円形としたが、これに限ることはなく矩形、三角形など任意の形状とすることができる。
また、薬剤容器体１は平面の大きさよりも高さが低い横長の形状としたが、平面の大きさよりも高い縦長の形状とすることができる。
【００７２】
本発明の第１の薬剤４、第２の薬剤５としては、同じ薬剤、又は異なる薬剤を使用することができ、以下にその具体例を説明する。
使用目的が同じで、揮散のし易さ（揮散性）が異なる薬剤を使用する場合。
強制揮散の第２の薬剤５の揮散性を良いものとし、強制揮散することで薬剤を使用全域に速く分布させて効力を速く発現させ、また、その分布状態を維持しながら絶えず均一な効力を示し、自然揮散の第１の薬剤４の揮散性を非常に良いものとし、常時、薬剤を揮散しながら薬剤分布状態をより安定なものとして効力を長期間に亘って持続する。
【００７３】
これらの場合、強制揮散を連続して行い自然揮散と同時揮散を継続する、又は強制揮散を間欠的に行うことができる。
同時揮散を継続する実施において、例えば自然揮散で近法範囲、強制揮散で遠方範囲の薬剤分布を行う、また、自然揮散で低所範囲、強制揮散で高所範囲の薬剤分布を行うことも効果的である。
強制揮散を間欠的に行う実施において、例えば開始時の速効性を得るために同時揮散を行い、所定時間経過後中断、自然揮散のみとし、その後、薬剤分布の減少時点で強制揮散を繰り返し行う、又は強制揮散を当初から定期的に行う、又は人のいる時間帯に強制揮散を行う、又は薬剤効果が必要な時間帯に強制揮散を行う、などが挙げられる。
【００７４】
使用目的が同じで、揮散性が同じ薬剤を使用する場合。
第１・第２の薬剤４，５の揮散性が非常に良いものとし、強制揮散することで多量の薬剤をより短時間で全域に薬剤を分布させて速効的な薬剤効果を得る。例えば、多数の害虫が発生し、強制揮散で一網打尽とし、その後、自然揮散のみで害虫の発生を予防する、など即座に薬剤効果を要する場合、効果的である。
【００７５】
第１・第２の薬剤４，５の揮散性が良いものとし、使用開始時強制揮散し、その後、自然揮散のみとし、その後、強制揮散を定期的に行う。例えば、除菌や消臭などによる衛生管理、又は貯蔵庫などの害虫発生を予防する、などに効果的である。
【００７６】
使用目的が違う、異なる薬剤を使用する場合。
使用目的とする薬剤効果をより効率的、効果的に得るために、また複数の薬剤効果を得るために、第１・第２の薬剤４，５として使用目的の違う異なる薬剤を使用する。
例えば、害虫駆除として、対象害虫を忌避する忌避剤と殺虫する殺虫剤を用い、害虫の侵入の防止と共に侵入した害虫の殺虫を行うことで薬剤効果である害虫駆除効果をより高める。
また、対象害虫の落下抑転効果に優れた殺虫剤と致死効果に優れた殺虫剤を用い、速効性に優れた害虫駆除効果を得る。
また、対象害虫が違うそれぞれの害虫の殺虫剤や忌避剤を用い、居住空間にいる、又は侵入する複数の害虫を同時に駆除する。
消臭として、異なる臭いのそれぞれの消臭剤を用い、消臭効果をより高める。
また、消臭剤と芳香剤を用い、悪臭のしない香りのある居住空間にする。
また、消臭剤、芳香剤、害虫駆除剤、除菌剤などの薬剤を組み合わせて用い、害虫のいない、良い香りがする、清潔な、など居住空間にする。
これらの薬剤を自然揮散、又は強制揮散の第１・第２の薬剤に用いるかは、使用目的や使用薬剤の性状などによって選択される。また、その薬剤効果の持続性、拡散性、、速効性を任意なものにできる。
【００７７】
本発明に用いる揮散性の薬剤としては、従来から害虫駆除剤（殺虫剤、害虫忌避剤、害虫成長阻害剤など）、芳香・消臭剤（香料、ハーブ、消臭剤など）、防菌・防黴剤（殺菌剤、除菌剤、防カビ剤など）等の目的で使用されている自然下で揮散する各種の薬剤を、目的に応じて単独で、または２種以上組合わせて使用できる。
【００７８】
本発明に用いる製剤は、形状として、多量の揮散性の薬剤を含有し、取扱いが簡便であればよく、例えばゲル状、ジェル状、粒状、粉状、マット状、綿状、繊維状、ハニカム構造状、又は液状などが例示される。
製剤の材料としては、自然下で含有された揮散性薬剤を放出するものであればよく、例えば多孔質無機物質および有機物質、パルプ材、ゲル化材、合成樹脂などが例示される。
送風機のファンとしては、シロッコファンが好ましいが、軸流ファン、プロペラファンを用いることもできる。
【図面の簡単な説明】
【００７９】
【図１】本発明の第１の実施の形態を示す薬剤揮散器具の平面図である。
【図２】図１のＡ−Ａ断面図である。
【図３】送風機の駆動回路図である。
【図４】本発明の第２の実施の形態を示す薬剤揮散器具の平面図である。
【図５】図４のＢ−Ｂ断面図である。
【図６】本発明の第３の実施の形態を示す薬剤揮散器具の平面図である。
【図７】本発明の第４の実施の形態を示す薬剤揮散器具の平面図である
【図８】本発明の第５の実施の形態を示す薬剤揮散器具の平面図である
【図９】図８のＣ−Ｃ断面図である。
【図１０】本発明の第６の実施の形態を示す薬剤揮散器具の平面図である
【図１１】図１０のＤ−Ｄ断面図である。
【図１２】本発明の第７の実施の形態を示す薬剤揮散器具の平面図である
【図１３】図１２のＥ−Ｅ断面図である。
【図１４】本発明の第８の実施の形態を示す薬剤揮散器具の平面図である
【図１５】図１４のＦ−Ｆ断面図である。
【図１６】本発明の第９の実施の形態を示す薬剤揮散器具の平面図である
【図１７】図１６のＧ−Ｇ断面図である。
【符号の説明】
【００８０】
１…薬剤容器体、２…第１薬剤収容部、３…第２薬剤収容部、４…第１の薬剤、５…第２の薬剤、６…揮散口、７…送風機、１０…容器本体、２０…蓋体、２４…空気取入口、２５…開口部、３０…ハウジング、３１…モータ、３２…ファン、３３…吸込口、３４…吐出口、４０…空気吹き込み口、４１…補助揮散口。
【図１】
2008023074.tif 000003
【図２】
2008023074.tif 000004
【図３】
2008023074.tif 000005
【図４】
2008023074.tif 000006
【図５】
2008023074.tif 000007
【図６】
2008023074.tif 000008
【図７】
2008023074.tif 000009
【図８】
2008023074.tif 000010
【図９】
2008023074.tif 000011
【図１０】
2008023074.tif 000012
【図１１】
2008023074.tif 000013
【図１２】
2008023074.tif 000014
【図１３】
2008023074.tif 000015
【図１４】
2008023074.tif 000016
【図１５】
2008023074.tif 000017
【図１６】
2008023074.tif 000018
【図１７】
2008023074.tif 000019